【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
酸素含有ガスから酸素濃縮ガスを生成する酸素分離器であって、
酸素分離装置であって、
前記酸素含有ガスの流れを受容する入口端、
酸素濃縮ガスの流れを出力する、前記入口端とは反対側の出口端、
供給端および生成端を有し、前記酸素含有ガスの、酸素を除く少なくとも一つの成分を吸着する吸着材料、ならびに
前記酸素分離装置の内側と外側の間で、酸素含有ガスの連通を制御するように前記入口端に構成された、供給側の、第1の制御可能なインターフェースと、前記酸素分離装置の前記内側と前記外側の間で、非酸素濃縮ガスの連通を制御するように構成された、第2の制御可能なインターフェースと、前記出口端で、前記酸素分離装置の前記内側と前記外側の間の、酸素濃縮ガスの連通を制御する、生成側の、第3の制御可能なインターフェースとを有する、少なくとも3つの制御可能なインターフェース、
を有する、酸素分離装置と、
当該酸素分離器を制御するように構成されたプロセッサであって、複数の作動フェーズが連続的に実施され、中でも、前記吸着材料をパージするパージフェーズが実施され、これにより、吸着された前記酸素含有ガスの少なくとも一つの成分が放出される、プロセッサと、
を有し、
前記プロセッサは、前記少なくとも3つの制御可能なインターフェースを制御するように構成され、少なくとも前記パージフェーズの間、前記第1の制御可能なインターフェースと前記第2の制御可能なインターフェースとの間にガスの流れが生じ、
前記第2の制御可能なインターフェースは、前記第1の制御可能なインターフェースと前記第3の制御可能なインターフェースの間に、前記供給端から、前記吸着材料の前記供給端と前記生成端とを離間する距離の約80％またはそれ以下の距離で、配置され、
前記第2の制御可能なインターフェースは、前記パージフェーズの間、前記酸素分離装置の前記内側と非酸素濃縮ガスの容積との間で、流体的な結合を制御するように構成され、前記吸着材料のパージに、前記非酸素濃縮ガスが用いられる、酸素分離器。
【請求項２】
前記第3の制御可能なインターフェースは、少なくとも前記パージフェーズの間、前記酸素分離装置の前記内側と前記酸素濃縮ガスの容積の間で、前記流体的な結合を制御するように構成され、
前記プロセッサは、さらに、前記パージフェーズの間、前記第3の制御可能なインターフェースと、前記第1の制御可能なインターフェースまたは前記第2の制御可能なインターフェースとの間で、別のガスの流れが生成されるように構成される、請求項1に記載の酸素分離器。
【請求項３】
前記第2の制御可能なインターフェースは、前記非酸素濃縮ガスの容積を貯蔵するリザーバと流体的に結合される、請求項1または2に記載の酸素分離器。
【請求項４】
前記少なくとも3つの制御可能なインターフェースの一つは、前記非酸素濃縮ガスの流れを生成するファンに結合される、請求項1乃至3のいずれか一つに記載の酸素分離器。
【請求項５】
前記少なくとも3つの制御可能なインターフェースの一つは、前記非酸素濃縮ガスの流れを生成する真空ポンプに結合される、請求項1乃至3のいずれか一つに記載の酸素分離器。
【請求項６】
前記吸着材料は、
i）Li-LSXゼオライト、
ii）Na-Xゼオライト、
iii）炭素モレキュラーシーブ（CMS）、
iv）金属有機構造体（MOF）
のリストから選定された少なくとも一つである、請求項1乃至5のいずれか一つに記載の酸素分離器。
【請求項７】
前記プロセッサは、前記第1の制御可能なインターフェース、前記第2の制御可能なインターフェース、および前記第3の制御可能なインターフェースを制御し、
前記ガスの流れが、前記第2の制御可能なインターフェースから、前記第1の制御可能なインターフェースに向かって誘導され、
前記別のガスの流れが、前記第3の制御可能なインターフェースから、前記第1の制御可能なインターフェースに向かって誘導されるように、構成され、
前記第1の制御可能なインターフェースは、前記酸素分離装置からガスを出力するように構成される、請求項1乃至6のいずれか一つに記載の酸素分離器。
【請求項８】
前記プロセッサは、前記第1の制御可能なインターフェース、前記第2の制御可能なインターフェース、および前記第3の制御可能なインターフェースを制御し、
前記ガスの流れが、前記第1の制御可能なインターフェースから、前記第2の制御可能なインターフェースに向かって誘導され、
前記別のガスの流れが、前記第3の制御可能なインターフェースから、前記第2の制御可能なインターフェースに向かって誘導されるように、構成され、
前記第2の制御可能なインターフェースは、前記酸素分離装置からガスを出力するように構成される、請求項1乃至6のいずれか一つに記載の酸素分離器。
【請求項９】
前記第1の制御可能なインターフェース、前記第2の制御可能なインターフェース、および前記第3の制御可能なインターフェースは、それぞれ、第1のバルブ、第2のバルブ、および第3のバルブを有し、
前記プロセッサは、さらに、前記パージフェーズの間、各バルブを調整し、前記ガスの流れおよび／または前記別のガスの流れが生成されるように構成される、請求項1乃至8のいずれか一つに記載の酸素分離器。
【請求項１０】
前記酸素含有ガスから前記酸素濃縮ガスを生成する請求項1乃至9のいずれか一つに記載の酸素分離器を制御する方法であって、
前記複数の作動フェーズが連続的に実施され、中でも、前記吸着材料をパージする前記パージフェーズが実施されるように、前記酸素分離器を制御するステップであって、これにより、前記酸素含有ガスの前記吸着された少なくとも一つの成分が放出される、ステップと、
少なくとも前記パージフェーズの間、前記第1の制御可能なインターフェースと前記第2の制御可能なインターフェースの間で、ガスの流れが生成されるように、前記少なくとも3つの制御可能なインターフェースを制御するステップと、
前記パージフェーズの間、前記酸素分離装置の前記内側と非酸素濃縮ガスの容積との間で、流体的な結合を制御するように、前記第2の制御可能なインターフェースを制御するステップであって、前記吸着材料のパージに、前記非酸素濃縮ガスが用いられる、ステップと、
を有する、方法。
【請求項１１】
さらに、
少なくとも前記パージフェーズの間、前記酸素分離装置の前記内側と、酸素濃縮ガスの容積の間で、前記流体的な結合を制御するように、前記第3の制御可能なインターフェースを制御するステップと、
前記パージフェーズの間、前記第3の制御可能なインターフェースと、前記第2の制御可能なインターフェースまたは前記第1の制御可能なインターフェースとの間で、別のガスの流れを生成するステップと、
を有する、請求項10に記載の方法。
【請求項１２】
前記吸着材料は、前記酸素分離装置の前記入口端から延伸する、請求項1乃至9のいずれか一つに記載の酸素分離器。
【請求項１３】
前記第2の制御可能なインターフェースは、前記吸着材料の前記供給端から、前記吸着材料の前記供給端と前記生成端とを離間する前記距離の45％から80％の間の距離に配置される、請求項1乃至9のいずれか一つに記載の酸素分離器。
【請求項１４】
前記非酸素濃縮ガスは、周囲空気である、請求項10または11に記載の方法。